(57)【特許請求の範囲】
【請求項１】
コンテナシャ−シ後部にあって一対のメインフレ−ム上に設けられ、両側部に緊締装置を備えたボルスタと、一対のメインフレ−ムの後端に固設されたクロスメンバと、左右の側枠材とに囲繞された枠内に敷設された基板と、該基板上にあって後端を前記クロスメンバにヒンジを介して回動自在に枢着された左右一対の渡し板とからなり、それぞれの渡し板は前記基板と渡し板間に設けた起伏補助装置を備え、コンテナの後部扉開閉時に渡し板をヒンジを中心に回動させて起立及び起立位置を保持可能にしたコンテナシャーシ用渡し板であって、
前記起伏補助装置はストッパ棒と反発装置とからなり、ストッパ棒の一端は基板上に回動可能に取付けられ、他端は渡し板の裏面に取付けたブラケットに設けた長孔に沿って摺動可能に支持されており、反発装置は一端を前記基板に、他端を渡し板の裏面にそれぞれ回動自在に軸支されていることを特徴とするコンテナシャ−シ用渡し板。
【請求項２】
前記ストッパ棒は下端に設けた折曲部を基板上に固設したブラケットに回動可能に取付けられ、ストッパ棒の上端にも折曲部を有し、渡し板の裏面に固着した断面Ｔ型ブラケットの垂直リブに設けた長孔に沿って摺動可能に支持されていることを特徴とする請求項１記載のコンテナシャ−シ用渡し板。
【請求項３】
前記反発装置として、ガスダンパを使用することを特徴とする請求項１又は請求項２記載のコンテナシャ−シ用渡し板。
【請求項４】
前記反発装置として、コイルバネを使用することを特徴とする請求項１又は請求項２記載のコンテナシャ−シ用渡し板。
【発明の詳細な説明】
【０００１】
【発明の属する技術分野】
本発明は、コンテナシャ−シ用渡し板に関するものである。さらに詳しく言えば、コンテナシャ−シ上にコンテナを積載した時、コンテナの後方に生じる荷箱床部とシャ−シ上部間の段差を埋めてプラットホ−ムとコンテナ間の荷役作業をし易くするための渡し板に関するものである。
【０００２】
【従来の技術】
一般に海上コンテナには４０フィ−トコンテナと２０フィ−トコンテナ等がある。そして、４０フィ−トコンテナを陸上で運ぶには４０フィ−トコンテナ専用のコンテナシャ−シに積載して、又２０フィ−トコンテナは２０フィ−トコンテナ専用のコンテナシャ−シに積載して陸路を運搬する。そしてコンテナの荷物の積み卸しは、コンテナシャ−シを倉庫の入口に設けたプラットフォ−ムまで後退して接近し、フォ−クリフトＦ等で荷役している（図９）。
【０００３】
ところが、最近４０フィ−トコンテナ用のコンテナシャ−シを２０フィ−トコンテナ用に兼用させて荷役するケ−スが増えている。４０フィ−ト用コンテナシャ−シに２０フィ−トコンテナを積載した場合には、コンテナシャ−シの後部に段差が生じる（図７）。また、ホイ−ルベ−スの関係で２０フィ−トコンテナシャ−シでもシャ−シの後部に段差が生じる構造のものもある（図８）。この為プラットフォ−ムでの荷役作業時にプラットフォ−ムとコンテナとの間をフォ−クリフト等が走行できない。このような段差を埋めてフォ−クリフト等をスム−ズに走行させることができ、しかもその取付・取外しの容易な渡し板(図９参照)の開発が望まれていた。
【０００４】
本出願人は、先に特願平７−１２３５８３号(特開平８−３１０２８９号公報)において、上記問題を解決するため、図９に示すように、プラットフォ−ムＰとコンテナＣとの間に生じた段差をなくし、フォ−クリフトＦ等での荷役作業をスム−ズに行うことができるとともに、必要なときに工具を使用しないでも直ちに脱着できる渡し板１の取付構造を開示した。
【０００５】
ところがこの渡し板１は、脱着操作の便宜は計られているが、渡し板１の荷重が大きくなると脱着作業が困難なことと、取り外し後の保管に不都合を生じることがあってこの点の改善が望まれていた。
【０００６】
【発明が解決しようとする課題】
本発明は、上記問題に鑑み、プラットフォ−ムとコンテナとの間に生じるシャ−シ上面の段差に渡し板を設け、この渡し板によりフォ−クリフト等の荷役機器がスム−ズに移動することができること、及びこの渡し板を容易に操作することのできる取付構造を提供することを目的とする。
【０００７】
【課題を解決するための手段】
本発明に係るコンテナシャ−シ用渡し板は、コンテナシャ−シ後部にあって一対のメインフレ−ム上に設けられ、両側部に緊締装置を備えたボルスタと、一対のメインフレ−ムの後端に固設されたクロスメンバと、左右の側枠材とに囲繞された枠内に敷設された基板と、該基板上にあって後端を前記クロスメンバにヒンジを介して回動自在に枢着された左右一対の渡し板とからなり、それぞれの渡し板は前記基板と渡し板間に設けた起伏補助装置を備え、コンテナの後部扉開閉時に渡し板をヒンジを中心に回動させて起立及び起立位置を保持可能にしたコンテナシャーシ用渡し板であって、前記起伏補助装置はストッパ棒と反発装置とからなり、ストッパ棒の一端は基板上に回動可能に取付けられ、他端は渡し板の裏面に取付けたブラケットに設けた長孔に沿って摺動可能に支持されており、反発装置は一端を前記基板に、他端を渡し板の裏面にそれぞれ回動自在に軸支されていることを特徴とする。
また、前記ストッパ棒は下端に設けた折曲部を基板上に固設したブラケットに回動可能に取付けられ、ストッパ棒の上端にも折曲部を有し、渡し板の裏面に固着した断面Ｔ型ブラケットの垂直リブに設けた長孔に沿って摺動可能に支持されていることが好ましい。
なお、前記反発装置として、ガスダンパ、コイルバネ等を使用するのが好ましい。
【０００８】
【発明の実施の形態】
本発明の実施の形態を図面を参照して詳細に説明する。図１は、コンテナシャ−シ後方上部に本発明に係る渡し板１を設けた状態の平面図である。図１に示される実施の形態では、シャ−シを構成する２本のメインフレ−ム２の後端部に、構造の同じ渡し板１が１基ずつ左右対称に設けられている。
【０００９】
渡し板１を設置するシャ−シの後端部を図１に基づいてさらに詳しく説明する。通常、２本のメインフレ−ム２，２の最後部にはクロスメンバ３が、これらメインフレ−ム２に対し直角に突き当てられている。また、このクロスメンバ３の前方で、後前輪４ａと後後輪４ｂとの間にボルスタ５がメインフレ−ム２に対し直角に取付けられている。
【００１０】
渡し板は、ボルスタ５、クロスメンバ３及びメインフレ−ム２，２とで形成されるシャ−シ後端部のフレ−ム上に組付けられている。クロスメンバ３には後尾灯や反射板等が架装される。また、ボルスタ５には、中空の角材が使用され、左右の端部寄りの中空内部にそれぞれツイストロック６等の緊締装置が埋設される。
【００１１】
図１において、ボルスタ５の上面からツイストロック６の頭部が上方に突出し、この頭部が９０度回動可能になっている。ツイストロック６は、コンテナをシャ−シ上に載置したとき、ツイストロック６の頭部がコンテナの四隅に設けられた隅金具の係合孔の中に下から挿入され、これを９０度回転させることにより隅金具を介してコンテナをシャ−シに対し緊締する緊締具である。これらボルスタ５とクロスメンバ３との間には懸架装置を介して後後輪４ｂの車軸が車台を懸架している。なお、図中、渡し板１は、左右対称に１基づつそれぞれ複数個のヒンジ７を介して車台に枢着されている。渡し板１には起伏補助装置８が設けられている。起伏補助装置８の詳細については後述する。
【００１２】
さて、本発明に係る渡し板１を設置する上記シャ−シ後端部の車台上には、図１には図示していないが、図２に示すように基板９が取り付けられている。図２(ａ)は基板９の片半分を示す平面図、同じく(ｂ)は(ａ)のＡ−Ａ矢視断面図である。渡し板１はこの基板９上に設置される。基板９は車台上に設けた基板枠内に板材を並設したものである。
【００１３】
基板枠は、前部がボルスタ５の後端面に沿って配設した逆Ｌ字型チャネル材よりなる前枠１０と、後部はクロスメンバ３が後枠を構成している。これら前枠１０と後枠(クロスメンバ３)の左右側端縁には断面コ字状の開口を外方に向けた側枠材１１を連結して、長方形の基板枠を構成している。これらの枠材等により囲繞された基板枠の上には荷台幅方向に平行に複数の板材１２を敷設している。板材には、鋼材を使用しても良い。図２(ｂ)に示すように、前端の板材１２ａと、後端の板材１２ｂは、それぞれ前枠１０と後枠を構成するクロスメンバ３に設けられた鈎状の係合部１３ａ，１３ｂに嵌め込んで固定されている。また、図２(ｃ)に示すように、板材１２の左端及び右端は、側枠材１１の下部に溶接されたチャネル材１１ａにタッピングねじ１１ｂにより固定されている。
【００１４】
ついで、渡し板１の構造を説明する。図３(ａ)は渡し板の平面図、(ｂ)は(ａ)のＡ−Ａ矢視断面図、(ｃ)は(ａ)のＢ−Ｂ矢視断面図である。渡し板１は断面コ字状のアルミ押出形材により長方形の外枠１４が形成され、外枠１４の前枠材１４ａと後枠材１４ｂの間には、間隔を空けて複数の梁材１５が平行に設けられている。梁材１５は、断面Ｉ型のアルミ押出形材からなり、端部を前枠材１４ａと後枠材１４ｂの開口部に嵌め合わせて結合する。上面は滑り止めの効いたアルミ板であるチェッカ−１ａで覆われている。
【００１５】
つぎに、渡し板１の起伏補助装置８について図４で詳細に説明する。起伏補助装置８はストッパ棒８ａとガスダンパ８ｂで構成される。起伏補助装置８は、左右の渡し板１にそれぞれ設けられている。荷役作業を始める時、渡し板１は基板９上にセットした状態ではコンテナの後部観音扉の下端部に当接して扉が開かないので、渡し板１を上方に起立させねばならない。そして、観音扉を側方に開いた後は、再び渡し板１を元のセット位置に倒して荷役作業を開始する。
【００１６】
荷役作業が終了すると、再度渡し板１を起立させ、観音扉を閉じてから渡し板１を倒してロック(不図示)する。このため一方の渡し板１を起立させるときは、作業者は他方の渡し板１の上で起立操作をする。また、最初に一方の渡し板１を転倒するときは、作業者は他方の渡し板を支持する基板の上で転倒操作をする。渡し板１は後端縁が車台のクロスメンバに複数個のヒンジ７を介して回動自在に枢着されているが、およそ６０kg程度の荷重を有するため、ガスダンパ８ｂとストッパ棒８ａを装着している。
【００１７】
ストッパ棒８ａは、図４(ａ)に示すように、渡し板１を起立させたとき起立状態を保持し、それ以上後方へ転倒するのを防止する。ストッパ棒８ａの固定側（図４(ｂ)）は直角に折り曲がった折曲部１６が、基板９側に固着されたブラケット１７の透孔１７ａに回動自在に挿通されている。挿通部の両側は２個のプレ−ンワッシャ−１８によって規制されている。
【００１８】
ストッパ棒８ａの他端の摺動側（図４(ｃ)）も同様に直角に折れ曲がった折曲部１９が、渡し板１を構成する梁材１５のフランジ部１５ａと当て板２０に跨って設けられた断面Ｔ字型ブラケット２１の垂直リブ２１ａに設けた長孔２２内を貫通し、摺動自在に掛け止めされている。貫通部の両側は２個のプレ−ンワッシャ−２３により規制されている。このような構成により、渡し板１を起立させるとき、渡し板１が後方にやや傾斜した状態となって後方への回動を停止されることになる（図４）。
【００１９】
ガスダンパ８ｂ（図５）は、周知の市販ガスダンパを使用する。ガスダンパ８ｂは、シリンダ−部とロッド部から構成され、シリンダ部内部に形成されたオイル流通路の開閉により加圧ガスの反発力が緩衝され、滑らかにロッドを作動するものである。
【００２０】
図５(ａ)から明らかなように、ガスダンパ８ｂのロッド側端部は、基板上部に固着されたブラケット２４に回動自在に軸支される。シリンダ−側端部は、渡し板１の梁材１５のフランジ部に固着されたブラケット２５に回動自在に軸支されている。作業者が渡し板１を起立させるとき、このガスダンパ８ｂの反発力が働いて、ロッドが伸長し、円滑に起立操作をすることができる。
【００２１】
渡し板１は、ガスダンパ８ｂの反発力により渡し板１の転倒方向に抗して押圧しているので、急に転倒する虞はない。なお、この種の起伏補助装置の反発装置として、ガスダンパ８ｂの他に、実公昭６３−１８６１２号において、本出願人が開示した図５(ｂ)に示すコイルバネ８ｂ′等を使用することができる。このコイルバネの説明は省くが、起倒全域に亘って渡し板１の荷重にバランスするような構造となっている。
【００２２】
図６は、渡し板１の起伏動作を示す側面図である。車台のメインレ−ル上面に基板９が取り付けられており、その上に渡し板１が設置されている。渡し板１は車台のクロスメンバ３にヒンジ７を介して上下回動自在に枢着されており、図６では起立した状態を２点鎖線で示す。起立した状態ではストッパ棒８ａの摺動側の先端が渡し板１側のブラケットの長孔２２の後端に位置して、これ以上渡し板１が後方へ回動するのを防止している。
【００２３】
【発明の効果】
請求項１の構成により、プラットフォ−ムとコンテナ床部との間に段差部があっても、この部分に渡し板を設けることによりフォ−クリフト等の荷役器機がスム−ズに移動することができるので、荷役を迅速かつ安全に行うことができる。又、請求項２の起伏補助装置を設けたので、重い渡し板でも容易に起すことができて、コンテナの扉の開閉に際し、作業者に余計な負担を課さなくてもよくなった。
さらに請求項３の構成により、起伏補助装置がストッパ棒と公知ガスダンパ等の反発装置との組合せで構成され、単純な構成で所期の目的を達成できる。特にストッパ棒は渡し板の裏面に設けた断面Ｔ型ブラケットに設けた長孔を摺動し、その後端位置でそれ以上摺動できないようになっているので、その位置を停止位置とすることができる。このように単純構造でストッパ機能を構成することが可能となった。
【図面の簡単な説明】
【図１】  (ａ)は本発明に係る渡し板を設けた状態を示すシャ−シ後部の平面図、(ｂ)は(ａ)の右側面図。
【図２】  (ａ)は基板の片半分を示す平面図、(ｂ)は(ａ)のＡ−Ａ矢視断面図、(ｃ)は基板の側枠材への取付構造を示す断面図、(ｄ)は基板の側枠材への取付構造を示す部分斜視図。
【図３】  (ａ)は渡し板の平面図、(ｂ)は(ａ)のＡ−Ａ矢視断面図、(ｃ)は(ａ)のＢ−Ｂ矢視断面図。
【図４】  (ａ)は起伏補助装置の斜視図、(ｂ)はストッパ棒の固定側の構成を示す平面図、(ｃ)はストッパ棒の摺動側の構成を示す平面図。
【図５】  (ａ)は渡し板とガスダンパの関連構成を示す断面図、(ｂ)はガスダンパに代る反発装置の一例を示す断面図。
【図６】渡し板の起伏作動を示す側面図。
【図７】公知４０フィ−トコンテナ用コンテナシャ−シに２０フィ−トコンテナを載せた図。
【図８】公知２０フィ−トコンテナ用コンテナシャ−シに２０フィ−トコンテナを載せた図。
【図９】公知渡し板を用いフォ−クリフトで作業している状態を示す図。
【符号の説明】
１  渡し板                      ２  メインフレ−ム
３  クロスメンバ                4a  後前輪
4b  後後輪                      ５  ボルスタ
６  ツイストロック              ７  ヒンジ
８  起伏補助装置                8a  ストッパ棒
8b  ガスダンパ                  8b′  コイルバネ
９  基板                        10  前枠
11  側枠材                      12,12a,12b  板材
13a，13b  係合部                14  外枠
15  梁材                        15a   フランジ部
16  折曲部                      17  ブラケット
17a   透孔                      18  プレ−ンワッシャ−
19  折曲部                      20  当て板
21  ブラケット                  21a   垂直リブ
22  長孔                        23  プレ−ンワッシャ−
24  ブラケット                  25  ブラケット
【図１】
0004041578.tif 000002
【図２】
0004041578.tif 000003
【図３】
0004041578.tif 000004
【図４】
0004041578.tif 000005
【図５】
0004041578.tif 000006
【図６】
0004041578.tif 000007
【図７】
0004041578.tif 000008
【図８】
0004041578.tif 000009
【図９】
0004041578.tif 000010